(57)【要約】      （修正有）【課題】トランペットやサクソフォン等の金属製管楽器の、日頃の手入れや入念な磨き上げが１人でできる管楽器手入れ用作業台を提供する。【解決手段】台座１の対向する両側面に一対の支柱２−１，２−２が立設され、支柱の上方近傍の対向する内側の位置に、一方の支柱には円柱形のストッパー３と対向する他方の支柱には、先端部に受け金４を設け、末端部にハンドルノブ５を設けた棒状のネジ６を進退可能に取り付けた締め具を有する。トランペットを磨き上げるには、音を外部に放出するベル（朝顔部）をストッパーに押し込み、他方マウスピースを取り外したマウスパイプ（口金部）を締め具の受け金に一致させて２本の支柱間に保持する。サクソフォン等の屈曲部を支えるために、ストッパを中空の円筒体としてもよい。またストッパーと受け金の表面に薄いクッション材を設けて、傷つきを防止することが好ましい。【選択図】図１
0003188286.tif 000002
【実用新案登録請求の範囲】
【請求項１】
管楽器の表面を布などで磨いて手入れする為に用いる作業台であって、台座（１）の対向する両側面に一対の支柱（２−１）（２−２）が立設され、該支柱（２）の上方近傍の対向する内側の位置に、一方の支柱（２−１）には円柱形のストッパー（３）と対向する他方の支柱（２−２）には、先端部に受け金（４）を設け、末端部にハンドルノブ（５）を設けた棒状のネジ（６）を進退可能に取り付けた締め具（７）を有することを特徴とする管楽器手入れ用作業台。
【請求項２】
前記円柱形のストッパー（３）が中空の円筒体（３０）であることを特徴とした請求項１記載の管楽器手入れ用作業台。
【請求項３】
前記ストッパー（３）と前記受け金（４）の表面に薄いクッション材を設けたことを特徴とする請求項１又は２記載の管楽器の手入れ用作業台。
【考案の詳細な説明】
【技術分野】
【０００１】    本考案は、トランペットやサクソフォン等の管楽器の表面を磨き上げる際に使用する楽器の手入れ用作業台に関する。【０００２】    従来、トランペットやコルネット、フリューゲルホルン、サクソフォン等の金属で作られた管楽器類の手入れや表面の磨き上げ作業をする場合には、片手で楽器を保持し、もう一方の手で行うか、或いは膝で挟んで楽器を保持するか、更には他の人に支えて貰って両手で行うのが一般的であった。
一方、楽器自体を分解して、抜差し管とバルブピストン部を楽器本体から取り外して手入れや磨きあげるための保持装置（例えば、特許文献１参照）等も提案されているが、楽器自体の形状が複雑なため、いずれにしても手間のかかる作業であった。
【先行技術文献】
【特許文献】
【０００３】
【特許文献１】  特開２００７−２４１２１０号  公報
【考案の開示】
【考案が解決しようとする課題】
【０００４】  トランペットやサクソフォン等の金属製の管楽器は表面が金色や銀色にメッキされ薄い被膜で覆われているため、日頃の手入れを怠ったり雨天の日屋外での演奏後放置すると錆びるので入念な磨き上げが必要である。
一旦、錆が発生した楽器の復元には可也の長時間の磨き上げ作業を要するので、一人で磨き上げるには楽器を保持して固定できる作業台が有れば両手を用いて力を込めて作業できるが、現在の所適当な作業台がみつからない。  本考案はそれらの課題を解決しようとするものである。
【課題を解決するための手段】
【０００５】  そして本考案は前記の課題を解決するため、
管楽器の表面を布などで磨いて手入れする為に用いる作業台であって、台座の対向する両側面に一対の支柱が立設され、該支柱の上方近傍の対向する内側の位置に、一方の支柱には円柱形のストッパーと対向する他方の支柱には、先端部に受け金を設け、末端部にハンドルノブを設けた棒状のネジを進退可能に取り付けた締め具を有する管楽器手入れ用作業台を提供する。【０００６】  本考案の作業台を使用する場合は、通常、椅子等を用いて腰掛けて作業台に正対し、両足で台座を踏んで作業台を安定させる。  そして、トランペットを磨き上げるには、音を外部に放出する為に開放したベル（以下、朝顔部と称する）を作業台のストッパーに押し込み、他方マウスピースを取り外したマウスパイプ（以下、口金部と称する）を締め具の受け金に一致させてハンドルノブを回転させて棒状のネジを前進させる。  そして、２本の支柱間に朝顔部（ベル）と口金部（マウスパイプ）」の２か所で支えて保持する。【０００７】    ２本の支柱間に楽器の手入れしたい部分を正面にし、ハンドルノブで締めつけてラッパを保持する。  強さや作業者との位置関係はハンドルノブの締付け強さや作業のし易い位置にラッパを回転させることで調整する。
作業者は、タオル等の布を楽器のバルブケーシングや曲管部や隠れた部分等に巻きつけるようにして両手を用いて手入れしたり、磨き上げ作業を行う。【０００８】  なお、前記円柱形のストッパーが円筒形であって、サクソフォン等の屈曲部を支える管楽器手入れ用作業台としても良い。  本考案で使用できる管楽器の寸法としては長さが約６５ｃｍ以内のトランペットやコルネット、フリューゲルホルン、サクソフォン等、比較的小型の管楽器が適している。【０００９】  更に、前記ストッパーと前記受け金の表面に薄いクッション材を設けて、管楽器のマウスピースを挿入する口金部や音響を拡大する朝顔部（ベル）の受け金などの治具による傷づきを防止することが好ましい。【００１０】  上記の構成の様に、本考案の作業台の特徴とする点は、作業台本体に大きな変更を加えることなく、ストッパーと締め具のネジの間隔を調整したり、ストッパーの形状を変えたり締め具の先端に補助治具を取付けるだけで様々な形状の管楽器の手入れ作業に用いることが出来る点にある。
【考案の効果】
【００１１】  本考案の作業台は上記の様な簡単な構成であるため、管楽器を取り付けたり取り外したりする操作が簡単であるだけでなく、楽器の固定が確実にできる。また、管楽器を中心軸の異なる２つの支点で支え、かつ、ストッパーや専用の補助具を取り換えて用いることで楽器を多様な角度に回転させることが出来る。そのため、楽器のあらゆる部分を作業者の正面に位置させることが出来、どの部分でも両手を使い能率的に且つ容易に磨き上げることが出来る。
また、作業台の高さを作業者が座る椅子の高さにあわせて、腰掛けることで長時間でも楽な姿勢で磨き上げの作業が出来る。
【図面の簡単な説明】
【００１２】
【図１】本考案の実施例となるトランペットの手入れに用いる作業台を左斜め正面から見た説明図。
【図２】本考案の実施例となるトランペットの手入れに用いる作業台を斜め右側面から見た説明図。
【図３】本考案の実施例となる作業台にトランペットを取付けた状態を示す左正面から見た説明図。
【図４】本考案の実施例となる作業台のトランペット用ストッパーを示す部分拡大図。
【図５−ａ】本考案の実施例となる作業台の締め具の説明図。
【図５−ｂ】延長用棒ネジの正面図。
【図６】トランペットのベルパイプとマウスパイプの中心線のズレを示す説明図。
【図７】本考案の第２の実施例となるアルトサクソフォンの手入れに用いる作業台を斜め左正面から見た説明図。
【図８−ａ】本考案の第２の実施例となる作業台のアルトサクソフォン用ストッパーを示す部分拡大図。
【図８−ｂ】同上の断面図。
【図９−ａ】アルトサクソフォンの手入れに用いるマウスピース側の専用治具を示す斜視図。
【図９−ｂ】同上の断面図。
【図１０】本考案の第２の実施例となる作業台にアルトサクソフォンを取付けた状態を示す左正面図。
【考案を実施するための形態】
【００１３】  以下、本考案の実施の形態を第１の実施例となるトランペットの手入れに用いる作業台を示す図１〜図５に基づいて詳細に説明する。
【００１４】  図において、１は台座、２−１，２−２は一対の支柱、３はストッパー、４は受け金、５はハンドルノブ、６は棒状ネジ、７は締め具を示しており、８は作業台の変形を防止するための支え板である。
【００１５】  作業台本体の台座１は、その側面に一対の支柱２−１，２−２を立設させると共に作業者が足の裏で押えて作業台を安定させるための部材で、木材や合成樹脂或いは金属などで形成される。  形状は長方形が基本形で、幅が２０〜３０ｃｍ、長さがトランペットやアルトサクソフォン用の場合は６５ｃｍ前後、台座１の厚さが２ｃｍ程度で、強度を有する木材の板等が好んで用いられる。台座１へ支柱２や支え板８を固定するのは、木ネジや金属の場合は溶接、合成樹脂等の場合は接着などの手段を用いると良い。
【００１６】  一対の支柱２−１，２−２や、支え板８は、台座１と同様の材質で作ることが出来、支柱にはそれぞれの一方にストッパー３と締め具７を取り付け、支え板８は、作業台の変形を防止するために支柱２の高さの中ほどより少し高目の位置に取り付け、作業位置の変更に伴い楽器を回転させる時当たらない位置とする。
【００１７】    ストッパー３は［図４］に示すように、トランペットの朝顔部の内に挿入可能な形状をしており、通常は円柱形である。  円柱のサイズとしては、直径が７ｃｍ、高さが７ｃｍ程度あればトランペットの朝顔部を固定できる。  支柱２−１への取り付けは、着脱が可能な様にネジ止めや嵌め込み式などにすることが好ましい。
【００１８】  ストッパー３と対向する位置に取り付けられる締め具７は、［図５−ａ］に示すように、棒状ネジ６の先端部に受け金４を設け、末端部にハンドルノブ５を設け、ハンドルノブ５を正方向に回転させることにより受け金４が向かって左側に進行し、逆方向に回転させることで受け金４が右側に後退する。
【００１９】［図５−ｂ］は、延長用棒ネジ６−１を示し、先端に受け金４−１、後端に長ナット９−１を設けている。
延長用棒ネジ６−１を使用する場合は、［図５−ａ］に示す受け金４を取り外し、長ナット９−１をねじ込むことで作業台の有効幅をコルネット等の長さの短い楽器の保持固定に対応することが出来る。
【００２０】  棒状ネジ６の長さは、１５〜２０ｃｍの範囲にあればトランペットと楽器の構造が類似する少し小型のコルネットやフリューゲルホルン等さらにはアルトサクソフォンなどの楽器の手入れにも使用できる。
なお、棒状ネジ６が円滑に回転して前進後退の動作を行い確実に固定するために、支柱２−２内部にナット９を２個並べて埋め込んでおくとよい。
【００２１】  受け金４は、先端部に凸部をもつ袋ナットを用いることで、楽器の口金部１１を隙間なく確実に保持することが出来る。
【００２２】  ストッパー３や受け金４の表面には柔らかな発泡合成樹脂シートや布等のクッション材を貼りつけたり、覆うたりして楽器に対する傷つきを防止することが好ましい。
【００２３】  トランペットは、［図６］に示すように、ベルパイプとマウスパイプの長さ方向の中心線は横方向にａ、縦方向にｂだけずれているので、［図３］に示すように本考案の作業台にセットすると、ストッパー３と締め具７が構成する新しい仮想の直線に従い、前後方向へ自在に回転させることが出来、トランペットのあらゆる部分を作業台の正面に向けることが出来る。
【００２４】  次に、本考案の実施の態様を第２の実施例となるアルトサクソフォンの手入れに用いる作業台の例を示す図７〜１０を参考に説明する。
【００２５】  本考案の作業台を用いて、アルトサクソフォンを手入れする場合は、［図１０］に示すように、トランペットの場合と類似する状態に作業台に固定する。
【００２６】  ただし、作業台の本体部分を構成する台座１や支柱２、支え板８等は［図７］に示すようにトランペットに用いる作業台と同様の構成で良いが、支柱２−２に取り付けるストッパー３０の形状を［図８−ａ］、［図８−ｂ］に示す如く中心部に凹部を有する円筒形に変更することが必要である。
【００２７】  また、締め具７の先端部の受け金４には専用の補助具４０を取付け、２番管Ｂの口金部１１を傷つけない様にして用いる。
専用の補助具４０は、［図９−ａ］、［図９−ｂ］に示す様な顎部４０−１を持った円筒形で、中央部に受け金４の凸部を受ける穴４０‐２を設け、口金部１１に挿入可能な外径を有している。
【００２８】  作業台への取付け手順を説明すると、円筒形ストッパー３０の凹み部分でアルトサクソフォンの屈曲した一番管Ａの外部分を受けて保持し、マウスピースとネック（吹込み管）を外した２番管Ｂの口金部１１に、専用の補助具４０を挿入して顎部４０−１で受け、穴４０−２に締め具７の受け金４を当接し、締め具７のノブ５を正方向に回転させることによって作業台に保持する。
【００２９】  上記の様な管楽器の作業台への保持方法は、トロンボーン、フリューゲルホルン、クラリネット等の楽器にも使用できるので、作業台の長さを６５ｃｍよりも長くしたり短くすることでそれぞれ各種の楽器の手入れ用作業台として利用することが出来る。
【符号の説明】
【００３０】１    台座
２−１，２−２  一対の支柱
３、３０    ストッパー
４    受け金
５    ハンドルノブ
６    棒状ネジ
６−１  延長用棒状ネジ
７    締め具
８    支え板
９    ナット
９−１  長ナット
１０  ベル（朝顔部）
１１  マウスパイプ（口金部）
４０  専用の補助具
Ａ    アルトサクソフォンの屈曲した１番管
Ｂ    アルトサクソフォンの２番管
【図１】
0003188286.tif 000003
【図２】
0003188286.tif 000004
【図３】
0003188286.tif 000005
【図４】
0003188286.tif 000006
【図５−ａ】
0003188286.tif 000007
【図５−ｂ】
0003188286.tif 000008
【図６】
0003188286.tif 000009
【図７】
0003188286.tif 000010
【図８−ａ】
0003188286.tif 000011
【図８−ｂ】
0003188286.tif 000012
【図９−ａ】
0003188286.tif 000013
【図９−ｂ】
0003188286.tif 000014
【図１０】
0003188286.tif 000015